(57)【要約】【課題】粘着層を傷付けることがないディスプレイ用保護フィルムを提供する。【解決手段】ディスプレイの表示領域を覆う基材フィルム層１１１に、粘着層を介して剥離フィルム層１１２を剥離可能に設ける。剥離フィルム層１１２上の一部に凸部１１４を固定する。凸部１１４の縁部１１４ａに沿って、剥離フィルム層１１２を切り裂きながら剥離させることにより、粘着層の一部を露出させることができる。したがって、剥離フィルム層１１２に切込みを形成する必要がないため、粘着層を傷付けることがない。【選択図】  図３
2015203089.tif 000002
【特許請求の範囲】
【請求項１】
ディスプレイの表示領域を保護するためのディスプレイ用保護フィルムであって、
前記表示領域を覆う基材フィルム層と、
前記基材フィルム層の一方の面に形成された粘着層と、
前記粘着層上に設けられ、前記粘着層に対して剥離可能な剥離フィルム層と、
前記剥離フィルム層上の一部に固定され、その縁部に沿って前記剥離フィルム層を切り裂きながら剥離させる凸部とを備えたことを特徴とするディスプレイ用保護フィルム。
【請求項２】
前記凸部の縁部は、前記剥離フィルム層の一端縁から他端縁まで、一直線上に延びていることを特徴とする請求項１に記載のディスプレイ用保護フィルム。
【請求項３】
ディスプレイの表示領域を保護するためのディスプレイ用保護フィルムであって、
前記表示領域を覆う基材フィルム層と、
前記基材フィルム層の一方の面に形成された粘着層と、
前記粘着層上に設けられ、前記粘着層に対して剥離可能な剥離フィルム層と、
前記剥離フィルム層上に形成され、前記ディスプレイに係止されることにより位置決めされる凸部とを備えたことを特徴とするディスプレイ用保護フィルム。
【請求項４】
前記凸部は、前記ディスプレイの外縁に沿って係止されることにより位置決めされることを特徴とする請求項３に記載のディスプレイ用保護フィルム。
【請求項５】
前記凸部は、前記ディスプレイの表面に形成されている凹部に係止されることにより位置決めされることを特徴とする請求項３に記載のディスプレイ用保護フィルム。
【発明の詳細な説明】
【技術分野】
【０００１】
本発明は、ディスプレイの表示領域を保護するためのディスプレイ用保護フィルムに関するものである。
【背景技術】
【０００２】
携帯電話機、ゲーム機又はタブレット端末などの各種機器のディスプレイには、少なくとも表示領域を保護するために保護フィルムが貼り合せられる場合がある。この種の保護フィルムの中には、単にディスプレイの表示領域を保護するためだけでなく、光反射防止機能などの他の機能を有するものもある。
【０００３】
保護フィルムは、ディスプレイの表示領域を覆って保護する基材フィルム層に、粘着層を介して他のフィルム層を積層することにより構成されている。具体的には、基材フィルム層の一方の面に粘着層を介して剥離フィルム層が積層されており、当該剥離フィルム層を粘着層から剥離した後、粘着層をディスプレイの表示領域に貼り合せることができる。基材フィルム層の他方の面には、必要に応じて、各種機能に対応するフィルム層が積層される。
【０００４】
一般的な保護フィルムでは、１枚の剥離フィルム層が粘着層全体を覆っており、当該剥離フィルム層を剥離して粘着層全体を露出させた後、ディスプレイの表示領域に貼り合せられる。このとき、ユーザは、表示領域に対して保護フィルムを位置合わせしながら貼り合せることとなり、通常、１回で正確な位置に貼り合せることは困難である。
【０００５】
そのため、多くのユーザは、表示領域に対して保護フィルムを途中まで貼り合せた後、表示領域から一旦剥離させ、再度位置合わせをしながら貼り合せるといった作業を繰り返すこととなる。この場合、粘着層の粘着力が低下したり、粘着層と表示領域との間に埃や気泡が入り込んだりするなどの問題が生じるおそれがある。そこで、近年では、保護フィルムを１回で正確な位置に貼り合せることが容易になるような構成が提案されている（例えば、下記特許文献１及び２参照）。
【０００６】
特許文献１には、剥離フィルム層に切り込みが形成されることにより、剥離フィルム層が２分割された構成が開示されている。具体的には、剥離フィルム層が仮止め用剥離層及び本止め用剥離層に分割されており、仮止め用剥離層を剥離して粘着層の一部を表示領域に貼り合せた後、本止め用剥離層を剥離して粘着層の残りの部分を表示領域に貼り合せることにより、表示領域全体に保護フィルムを貼り合せることができる。
【０００７】
特許文献２には、治具を用いて保護フィルムを貼り合せるための構成が開示されている。具体的には、治具を用いてディスプレイ（ケース）を位置決めした上で、保護フィルムを保持する保持フィルムに設けられた貫通孔内に、治具に形成されている突出部を挿入することにより、保持フィルムが位置合わせされる。その後、保持フィルムを押圧することにより、保護フィルムを表示領域に貼り合せることができる。
【先行技術文献】
【特許文献】
【０００８】
【特許文献１】特開２００６−２０６７８２号公報
【特許文献２】特開２０１４−２２４６号公報
【発明の概要】
【発明が解決しようとする課題】
【０００９】
しかしながら、上記特許文献１のように剥離フィルム層を分割する構成では、剥離フィルム層に切り込みを形成する際に粘着層を傷付けてしまう場合がある。そこで、剥離フィルム層を粘着層から一旦剥離し、切込みを形成した後、粘着層に再度貼り合せることも考えられる。しかし、この場合には、保護フィルムの製造工程が複雑になるとともに、剥離フィルム層と粘着層との間に埃や気泡が入り込むなどの問題が生じるおそれがある。
【００１０】
また、上記特許文献２のように治具を用いてディスプレイを位置決めするような構成では、わざわざ治具を準備する必要があるため、作業が大掛かりになるとともに、コストが高くなるという問題がある。
【００１１】
本発明は、上記実情に鑑みてなされたものであり、粘着層を傷付けることがないディスプレイ用保護フィルムを提供することを目的とする。また、本発明は、簡単な構成で正確な位置に容易に貼り合せることができるディスプレイ用保護フィルムを提供することを目的とする。
【課題を解決するための手段】
【００１２】
本発明に係るディスプレイ用保護フィルムは、ディスプレイの表示領域を保護するためのディスプレイ用保護フィルムであって、基材フィルム層と、粘着層と、剥離フィルム層と、凸部とを備える。前記基材フィルム層は、前記表示領域を覆う。前記粘着層は、前記基材フィルム層の一方の面に形成されている。前記剥離フィルム層は、前記粘着層上に設けられ、前記粘着層に対して剥離可能である。前記凸部は、前記剥離フィルム層上の一部に固定され、その縁部に沿って前記剥離フィルム層を切り裂きながら剥離させる。
【００１３】
このような構成によれば、剥離フィルム層上に固定された凸部の縁部に沿って、剥離フィルム層を切り裂きながら剥離させることにより、粘着層の一部を露出させることができる。したがって、剥離フィルム層に切込みを形成する必要がないため、粘着層を傷付けることがない。
【００１４】
また、露出させた粘着層の一部を表示領域に貼り合せた後、残りの剥離フィルム層を剥離させることにより、粘着層の残りの部分を露出させることができる。したがって、保護フィルムの位置合わせの途中で粘着層全体が表示領域に貼り付いてしまうことがないため、簡単な構成で保護フィルムを正確な位置に容易に貼り合せることができる。
【００１５】
前記凸部の縁部は、前記剥離フィルム層の一端縁から他端縁まで、一直線上に延びていることが好ましい。
【００１６】
このような構成によれば、剥離フィルム層の一端縁又は他端縁から、凸部の縁部に沿って容易に切込みを入れることができる。また、凸部の縁部が一直線上に延びているため、切込みを入れた剥離フィルム層を真っ直ぐ容易に切り裂くことができる。これにより、剥離フィルム層を切り裂きながら剥離させる作業を円滑に行うことができるため、作業性が向上する。
【００１７】
また、本発明に係るディスプレイ用保護フィルムは、ディスプレイの表示領域を保護するためのディスプレイ用保護フィルムであって、基材フィルム層と、粘着層と、剥離フィルム層と、凸部とを備える。前記基材フィルム層は、前記表示領域を覆う。前記粘着層は、前記基材フィルム層の一方の面に形成されている。前記剥離フィルム層は、前記粘着層上に設けられ、前記粘着層に対して剥離可能である。前記凸部は、前記剥離フィルム層上に形成され、前記ディスプレイに係止されることにより位置決めされる。
【００１８】
このような構成によれば、剥離フィルム層上に形成された凸部をディスプレイに係止させて位置決めした状態で、凸部とは異なる領域で剥離フィルム層を剥離させることにより露出した粘着層の一部を表示領域に貼り合せることができる。その後、凸部を含む領域で残りの剥離フィルム層を剥離させることにより、粘着層の残りの部分を露出させ、表示領域に貼り合せることができる。これにより、剥離フィルム層上に形成された凸部をディスプレイに係止させるだけの簡単な構成で、保護フィルムを正確な位置に容易に貼り合せることができる。
【００１９】
前記凸部は、前記ディスプレイの外縁に沿って係止されることにより位置決めされてもよい。
【００２０】
このような構成によれば、剥離フィルム層上に形成された凸部を、ディスプレイの外縁に沿って容易に係止させることができる。すなわち、凸部を係止させるための部分をディスプレイ側に別途設けることなく、ディスプレイの外縁を利用して凸部を係止させることができるため、より簡単な構成で保護フィルムを容易に貼り合せることができる。
【００２１】
前記凸部は、前記ディスプレイの表面に形成されている凹部に係止されることにより位置決めされてもよい。
【００２２】
このような構成によれば、剥離フィルム層上に形成された凸部を、ディスプレイの表面に形成されている凹部に容易に係止させることができる。この場合、スピーカ、マイク又はヘッドホンなどのためにディスプレイの表面に形成されている凹部を利用すれば、凸部を係止させるための部分をディスプレイ側に別途設ける必要がないため、より簡単な構成で保護フィルムを容易に貼り合せることができる。
【発明の効果】
【００２３】
本発明によれば、剥離フィルム層に切込みを形成する必要がないため、粘着層を傷付けることがない。また、保護フィルムの位置合わせの途中で粘着層全体が表示領域に貼り付いてしまうことがないため、簡単な構成で保護フィルムを正確な位置に容易に貼り合せることができる。
【００２４】
本発明によれば、剥離フィルム層上に形成された凸部をディスプレイに係止させるだけの簡単な構成で、保護フィルムを正確な位置に容易に貼り合せることができる。
【図面の簡単な説明】
【００２５】
【図１】本発明の一実施形態に係る保護フィルムの構成例を示した平面図である。
【図２】図１における保護フィルムのＡ−Ａ断面図であり、保護フィルムの一部のみを示している。
【図３】剥離フィルム層を切り裂きながら剥離させる際の態様について説明するための平面図である。
【図４】図１の保護フィルムをディスプレイの表示領域に貼り合せる際の態様について説明するための概略断面図である。
【図５】剥離フィルム層を切り裂きながら剥離させる際の別の態様について説明するための平面図である。
【図６】本発明の別の実施形態に係る保護フィルムの構成例を示した平面図である。
【図７】図６における保護フィルムのＢ−Ｂ断面図であり、保護フィルムの一部のみを示している。
【図８】図６の保護フィルムをディスプレイの表示領域に貼り合せる際の態様について説明するための概略断面図である。
【図９】図６の保護フィルムの変形例を示した平面図である。
【図１０】図９における保護フィルムのＣ−Ｃ断面図であり、保護フィルムの一部のみを示している。
【図１１】図９の保護フィルムをディスプレイの表示領域に貼り合せる際の態様について説明するための概略断面図である。
【発明を実施するための形態】
【００２６】
以下では、本発明に係る保護フィルムの実施形態について詳細に説明する。なお、以下の実施形態において図示された保護フィルムの各層は、説明を分かりやすくするために、実際の厚みよりも大きい厚みで示されている。
【００２７】
図１は、本発明の一実施形態に係る保護フィルム１０１の構成例を示した平面図である。また、図２は、図１における保護フィルム１０１のＡ−Ａ断面図であり、保護フィルム１０１の一部のみを示している。本実施形態に係る保護フィルム１０１は、携帯電話機、ゲーム機又はタブレット端末などの各種機器のディスプレイに貼り合せられ、当該ディスプレイの少なくとも表示領域を保護するためのディスプレイ用保護フィルムである。
【００２８】
保護フィルム１０１は、基材フィルム層１１１と剥離フィルム層１１２とが、粘着層１１３を介して積層されることにより構成されている。すなわち、基材フィルム層１１１の一方の面に粘着層１１３が形成され、粘着層１１３上に剥離フィルム層１１２が設けられている。基材フィルム層１１１の他方の面には、例えば光反射防止機能などの各種機能に応じた任意のフィルム層が積層されていてもよい。また、基材フィルム層１１１自体が、このような各種機能を有していてもよい。
【００２９】
基材フィルム層１１１は、ディスプレイの表示領域を覆うことができる形状を有している。より具体的には、基材フィルム層１１１は、ディスプレイの表示領域と同一、又は、それよりも大きい形状を有している。この例では、基材フィルム層１１１が長方形状に形成されているが、ディスプレイの表示領域の形状に応じて、正方形状などの他の矩形状に形成されていてもよいし、矩形状に限らず円形や楕円形などの他の各種形状に形成されていてもよい。
【００３０】
粘着層１１３は、基材フィルム層１１１の一方の面の全体に形成されている。剥離フィルム層１１２は、基材フィルム層１１１よりも大きい形状を有しており、基材フィルム層１１１の周縁よりも外側に張り出した状態で積層されている。剥離フィルム層１１２は、例えば透明フィルムにより形成されており、図１の状態では、透明な剥離フィルム層１１２を通して裏側の基材フィルム層１１１が視認可能となっている。ただし、剥離フィルム層１１２は、基材フィルム層１１１と同一の形状であってもよく、透明でなくてもよい。
【００３１】
剥離フィルム層１１２は、粘着層１１３に対して剥離可能となっている。したがって、剥離フィルム層１１２を剥離させて粘着層１１３を露出させ、当該粘着層１１３をディスプレイの表示領域に貼り合せることにより、表示領域を基材フィルム層１１１で覆って保護することができる。
【００３２】
本実施形態では、剥離フィルム層１１２上の一部に凸部１１４が固定されている。当該凸部１１４は、例えば所定の幅を有する帯状に形成されており、基材フィルム層１１１の短辺に対して平行に延びている。この例では、凸部１１４の縁部１１４ａが、剥離フィルム層１１２の一端縁１１２ａから他端縁１１２ｂまで、一直線上に延びている。これにより、剥離フィルム層１１２は、その縁部１１４ａに沿って切り裂きながら剥離させることができるようになっている。
【００３３】
剥離フィルム層１１２は、容易に切り裂くことができるような材料で形成されていることが好ましく、例えばポリプロピレンを原料とする二軸延伸フィルムにより形成することができる。剥離フィルム層１１２の厚みは、例えば１０〜１００μｍ程度であることが好ましい。なお、基材フィルム層１１１及び粘着層１１３は、保護フィルムにおいて一般的に使用されている公知の材料により形成することができる。
【００３４】
図３は、剥離フィルム層１１２を切り裂きながら剥離させる際の態様について説明するための平面図である。剥離フィルム層１１２を剥離させる際には、剥離フィルム層１１２の一端縁１１２ａにおける角部１１２ｃを摘まみ、凸部１１４の縁部１１４ａが延びる方向Ｄに沿って力を加えながら剥離させる。
【００３５】
これにより、図３に示すように、凸部１１４の縁部１１４ａに沿って剥離フィルム層１１２の一端縁１１２ａが切り裂かれる。そして、縁部１１４ａが延びる方向Ｄに沿ってそのまま力を加えることにより、縁部１１４ａに沿って剥離フィルム層１１２を一端縁１１２ａから他端縁１１２ｂまで切り裂きながら剥離させることができる。その結果、剥離フィルム層１１２の一部１１２ｄが除去され、この部分に対向する粘着層１１３が露出する。
【００３６】
このとき剥離される剥離フィルム層１１２の一部１１２ｄは、剥離フィルム層１１２の全体の面積に対して、半分以下の面積に対応する部分であることが好ましく、１／３〜１／４の面積に対応する部分であればより好ましい。なお、剥離フィルム層１１２は、一端縁１１２ａからではなく、他端縁１１２ｂから切り裂かれてもよい。
【００３７】
図４は、図１の保護フィルム１０１をディスプレイ１の表示領域２に貼り合せる際の態様について説明するための概略断面図である。図３において説明したような態様で剥離フィルム層１１２の一部１１２ｄが剥離された後、保護フィルム１０１は、ディスプレイ１の表示領域２に対して位置合わせされる。
【００３８】
このとき、図４（ａ）に示すように、露出した粘着層１１３がディスプレイ１の表示領域２に対向するようにして、粘着層１１３を表示領域２から離した状態で保護フィルム１０１を移動させる。そして、基材フィルム層１１１の各辺が表示領域２の各辺に対して平行になり、かつ、基材フィルム層１１１が表示領域２全体を覆うように位置合わせした上で、図４（ｂ）に示すように、露出している粘着層１１３を表示領域２に貼り合せる。ただし、凸部１１４の表面を表示領域２に摺接させながら、保護フィルム１０１を水平方向に移動させて位置合わせを行うことも可能である。
【００３９】
その後、剥離フィルム層１１２の残りの部分を凸部１１４側から剥離させ、図４（ｃ）に示すように、剥離フィルム層１１２を反転させて引き抜きながら、粘着層１１３の残りの部分を表示領域２に貼り合せる。このようにして、粘着層１１３全体を表示領域２に貼り合せることができる。
【００４０】
以上のように、本実施形態では、剥離フィルム層１１２上に固定された凸部１１４の縁部１１４ａに沿って、剥離フィルム層１１２を切り裂きながら剥離させることにより、粘着層１１３の一部を露出させることができる。したがって、剥離フィルム層１１２に切込みを形成する必要がないため、粘着層１１３を傷付けることがない。
【００４１】
また、露出させた粘着層１１３の一部を表示領域２に貼り合せた後、残りの剥離フィルム層１１２を剥離させることにより、粘着層１１３の残りの部分を露出させることができる。したがって、保護フィルム１０１の位置合わせの途中で粘着層１１３全体が表示領域２に貼り付いてしまうことがないため、簡単な構成で保護フィルム１０１を正確な位置に容易に貼り合せることができる。
【００４２】
特に、本実施形態では、凸部１１４の縁部１１４ａが剥離フィルム層１１２の一端縁１１２ａから他端縁１１２ｂまで延びているため、剥離フィルム層１１２の一端縁１１２ａ又は他端縁１１２ｂから、凸部１１４の縁部１１４ａに沿って容易に切込みを入れることができる。また、凸部１１４の縁部１１４ａが一直線上に延びているため、切込みを入れた剥離フィルム層１１２を真っ直ぐ容易に切り裂くことができる。これにより、剥離フィルム層１１２を切り裂きながら剥離させる作業を円滑に行うことができるため、作業性が向上する。
【００４３】
図５は、剥離フィルム層１１２を切り裂きながら剥離させる際の別の態様について説明するための平面図である。この例では、凸部１１４の縁部１１４ａに沿って、凸部１１４が固定されている側の剥離フィルム層１１２を切り裂きながら剥離させるような構成となっている。すなわち、剥離フィルム層１１２を剥離させる際には、剥離フィルム層１１２の一端縁１１２ａにおける凸部１１４の一部を摘まみ、凸部１１４の縁部１１４ａが延びる方向Ｄに沿って力を加えながら剥離させる。
【００４４】
これにより、図５に示すように、凸部１１４の縁部１１４ａに沿って剥離フィルム層１１２の一端縁１１２ａが切り裂かれる。そして、縁部１１４ａが延びる方向Ｄに沿ってそのまま力を加えることにより、剥離フィルム層１１２を凸部１１４とともに一端縁１１２ａから他端縁１１２ｂまで切り裂きながら剥離させることができる。その結果、剥離フィルム層１１２の一部１１２ｅ（凸部１１４が固定されている部分）が除去され、この部分に対向する粘着層１１３が露出する。
【００４５】
このとき剥離される剥離フィルム層１１２の一部１１２ｅは、剥離フィルム層１１２の全体の面積に対して、半分以下の面積に対応する部分であることが好ましく、１／３〜１／４の面積に対応する部分であればより好ましい。なお、剥離フィルム層１１２は、一端縁１１２ａからではなく、他端縁１１２ｂから切り裂かれてもよい。
【００４６】
以上の説明では、凸部１１４の縁部１１４ａが、基材フィルム層１１１の短辺に対して平行に延びるような構成について説明した。しかし、このような構成に限らず、凸部１１４の縁部１１４ａが、例えば基材フィルム層１１１の長辺に対して平行に延びていてもよい。また、剥離フィルム層１１２を切り裂きながら剥離させることができるような構成であれば、凸部１１４は上記のような形状に限らず、他の任意の形状に形成することができる。
【００４７】
図６は、本発明の別の実施形態に係る保護フィルム２０１の構成例を示した平面図である。また、図７は、図６における保護フィルム２０１のＢ−Ｂ断面図であり、保護フィルム２０１の一部のみを示している。本実施形態に係る保護フィルム２０１は、携帯電話機、ゲーム機又はタブレット端末などの各種機器のディスプレイに貼り合せられ、当該ディスプレイの表示領域を保護するためのディスプレイ用保護フィルムである。
【００４８】
保護フィルム２０１は、基材フィルム層２１１と剥離フィルム層２１２とが、粘着層２１３を介して積層されることにより構成されている。すなわち、基材フィルム層２１１の一方の面に粘着層２１３が形成され、粘着層２１３上に剥離フィルム層２１２が設けられている。基材フィルム層２１１の他方の面には、例えば光反射防止機能などの各種機能に応じた任意のフィルム層が積層されていてもよい。また、基材フィルム層２１１自体が、このような各種機能を有していてもよい。
【００４９】
基材フィルム層２１１は、ディスプレイの表示領域を覆うことができる形状を有している。より具体的には、基材フィルム層２１１は、ディスプレイの表示領域と同一、又は、それよりも大きい形状を有している。この例では、基材フィルム層２１１が長方形状に形成されているが、ディスプレイの表示領域の形状に応じて、正方形状などの他の矩形状に形成されていてもよいし、矩形状に限らず円形や楕円形などの他の各種形状に形成されていてもよい。
【００５０】
粘着層２１３は、基材フィルム層２１１の一方の面の全体に形成されている。剥離フィルム層２１２は、基材フィルム層２１１よりも大きい形状を有しており、基材フィルム層２１１の周縁よりも外側に張り出した状態で積層されている。剥離フィルム層２１２は、例えば透明フィルムにより形成されており、図６の状態では、透明な剥離フィルム層２１２を通して裏側の基材フィルム層２１１が視認可能となっている。ただし、剥離フィルム層２１２は、基材フィルム層２１１と同一の形状であってもよく、透明でなくてもよい。
【００５１】
剥離フィルム層２１２は、粘着層２１３に対して剥離可能となっている。したがって、剥離フィルム層２１２を剥離させて粘着層２１３を露出させ、当該粘着層２１３をディスプレイの表示領域に貼り合せることにより、表示領域を基材フィルム層２１１で覆って保護することができる。
【００５２】
本実施形態では、剥離フィルム層２１２上の一部に凸部２１４が形成されている。当該凸部２１４は、剥離フィルム層２１２における基材フィルム層２１１に対向していない領域に形成されている。この例では、剥離フィルム層２１２の周縁部の一部に凸部２１４が形成されている。より具体的には、剥離フィルム層２１２の一端縁２１２ａから他端縁２１２ｂまで、基材フィルム層２１１の短辺に対して平行に延びる第１凸部２１４ａと、第１凸部２１４ａの両端から基材フィルム層２１１の長辺に対して平行に延びる１対の第２凸部２１４ｂとにより、Ｕ字状の凸部２１４が形成されている。
【００５３】
図６及び図７に二点鎖線で示すように、保護フィルム２０１をディスプレイ１に貼り合せる際には、凸部２１４がディスプレイ１に係止されることにより位置決めされる。この例では、ディスプレイ１の外縁に沿って凸部２１４が係止されることにより、ディスプレイ１に対して短辺方向及び長辺方向への保護フィルム２０１の移動が規制されて位置決めされる。
【００５４】
より具体的には、１対の第２凸部２１４ｂは、ディスプレイ１の幅に対応する間隔で対向している。したがって、１対の第２凸部２１４ｂ間にディスプレイ１を配置することにより、これらの第２凸部２１４ｂをディスプレイ１の長辺に引っ掛けて、保護フィルム２０１の短辺方向への移動を規制することができる。また、第１凸部２１４ａをディスプレイ１の短辺に引っ掛けて、保護フィルム２０１の長辺方向への移動を規制することができる。このように、凸部２１４は、保護フィルム２０１が適用されるディスプレイ１の形状に対応する形状となっている。
【００５５】
凸部２１４は、例えば打ち抜き加工により形成することができる。すなわち、剥離フィルム層２１２上に別のフィルム層を接着した後、そのフィルム層における凸部２１４を形成しようとする部分以外の部分を打ち抜いて除去することにより、残った部分に凸部２１４を形成することができる。例えば凸部２１４が色付けされていれば、凸部２１４の位置が分かりやすいため、保護フィルム２０１を円滑に位置決めすることができる。
【００５６】
剥離フィルム層２１２の厚みは、例えば５０〜１００μｍ程度であることが好ましい。凸部２１４の厚みは、剥離フィルム層２１２の厚みよりも大きいことが好ましく、例えば５００μｍ以上であることが好ましい。剥離フィルム層２１２の厚みに対する凸部２１４の厚みは、例えば１０〜４０倍であることが好ましく、２０〜４０倍であればより好ましい。
【００５７】
基材フィルム層２１１、剥離フィルム層２１２及び粘着層２１３は、保護フィルムにおいて一般的に使用されている公知の材料により形成することができる。凸部２１４は、剥離フィルム層２１２と同じ材料で形成されていてもよいし、異なる材料で形成されていてもよい。
【００５８】
ただし、凸部２１４は、図６及び図７に例示されたような形状に限らず、例えば剥離フィルム層２１２の全周にわたって形成されていてもよいし、剥離フィルム層２１２の周縁部に沿って部分的に形成されることにより、複数の凸部２１４が断続的に設けられた構成であってもよい。また、凸部２１４は、剥離フィルム層２１２と一体的に形成されていてもよい。
【００５９】
剥離フィルム層２１２における凸部２１４が形成されていない領域には、例えば切込み２１５が形成されている。切込み２１５は、剥離フィルム層２１２の一端縁２１２ａから他端縁２１２ｂまで一直線上に延びており、これにより、剥離フィルム層２１２が２分割されている。この切込み２１５に沿って剥離フィルム層２１２を一端縁２１２ａ又は他端縁２１２ｂから剥離させれば、剥離フィルム層２１２の一部２１２ｃが除去され、この部分に対応する粘着層２１３が露出する。
【００６０】
図８は、図６の保護フィルム２０１をディスプレイ１の表示領域２に貼り合せる際の態様について説明するための概略断面図である。上記のような態様で、剥離フィルム層２１２における凸部２１４が形成されていない側の一部２１２ｃが剥離された後、保護フィルム２０１は、ディスプレイ１の表示領域２に対して位置合わせされる。
【００６１】
このとき、露出した粘着層２１３がディスプレイ１の表示領域２に対向するようにして、粘着層２１３を表示領域２から離した状態で保護フィルム１０１を移動させる。そして、図８（ａ）に示すように、凸部２１４をディスプレイ１の外縁に沿って係止させることにより位置決めした上で、図８（ｂ）に示すように、露出している粘着層２１３を表示領域２に貼り合せる。ただし、図４の凸部１１４のように、剥離フィルム層２１２の表面に凸部を設けて、当該凸部の表面を表示領域２に摺接させながら、保護フィルム２０１を水平方向に移動させて位置合わせを行うことも可能である。
【００６２】
その後、剥離フィルム層２１２の残りの部分を切込み２１５側から剥離させ、図８（ｃ）に示すように、剥離フィルム層２１２を反転させて引き抜きながら、粘着層２１３の残りの部分を表示領域２に貼り合せる。このようにして、粘着層２１３全体を表示領域２に貼り合せることができる。
【００６３】
ただし、剥離フィルム層２１２の一部２１２ｃを予め剥離した後に保護フィルム２０１を位置決めするような態様ではなく、保護フィルム２０１を位置決めした後、剥離フィルム層２１２の一部２１２ｃを剥離して、露出した粘着層２１３を表示領域２に貼り合せてもよい。この場合は、保護フィルム２０１の一端部を凸部２１４によりディスプレイ１の外縁に係止させた状態のまま、保護フィルム２０１の他端部をめくり上げて、剥離フィルム層２１２の一部２１２ｃを剥離すればよい。
【００６４】
以上のように、本実施形態では、剥離フィルム層２１２上に形成された凸部２１４をディスプレイ１に係止させて位置決めした状態で、凸部２１４とは異なる領域で剥離フィルム層２１２を剥離させることにより露出した粘着層２１３の一部を表示領域２に貼り合せることができる。その後、凸部２１４を含む領域で残りの剥離フィルム層２１２を剥離させることにより、粘着層２１３の残りの部分を露出させ、表示領域２に貼り合せることができる。これにより、剥離フィルム層２１２上に形成された凸部２１４をディスプレイ１に係止させるだけの簡単な構成で、保護フィルム２０１を正確な位置に容易に貼り合せることができる。
【００６５】
特に、本実施形態では、剥離フィルム層２１２上に形成された凸部２１４を、ディスプレイ１の外縁に沿って容易に係止させることができる。すなわち、凸部２１４を係止させるための部分をディスプレイ１側に別途設けることなく、ディスプレイ１の外縁を利用して凸部２１４を係止させることができるため、より簡単な構成で保護フィルム２０１を容易に貼り合せることができる。
【００６６】
図９は、図６の保護フィルム２０１の変形例を示した平面図である。また、図１０は、図９における保護フィルム２０１のＣ−Ｃ断面図であり、保護フィルム２０１の一部のみを示している。この例では、凸部２１４の形状及び切込み２１５の形成位置が図６の場合とは異なり、他の構成については図６の場合と同様であるため、同様の構成については、図に同一符号を付して詳細な説明を省略する。
【００６７】
この例では、凸部２１４がディスプレイ１の外縁に沿って係止されるのではなく、ディスプレイ１の表面に形成されている凹部に係止されるようになっている。凸部２１４を係止させるための凹部としては、ディスプレイ１に形成されているスピーカ、マイク又はヘッドホンなどのための各種凹部を利用することができる。ディスプレイ１における上記凹部が形成された表面は、表示領域２が形成されている面であってもよいし、ディスプレイ１の側面などのように、表示領域２が形成されていない面であってもよい。
【００６８】
凸部２１４は、剥離フィルム層２１２における基材フィルム層２１１に対向していない領域に形成されている。この例では、剥離フィルム層２１２の周縁部の一部に凸部２１４が形成されている。より具体的には、剥離フィルム層２１２の短辺に沿った中央部に、横長の凸部２１４が形成されている。ただし、凸部２１４の形状及び位置は、ディスプレイ１に形成されている凹部の形状及び位置に応じて任意に設定することができる。
【００６９】
凸部２１４は、図６の場合と同様に、例えば打ち抜き加工により形成することができる。また、図６の場合と同様に、凸部２１４が色付けされていてもよい。さらに、剥離フィルム層２１２及び凸部２１４の厚みや材料についても、図６の場合と同様の態様で設定することができる。
【００７０】
この例では、切込み２１５が１つではなく、複数設けられている。具体的には、互いに平行に延びる１対の切込み２１５が、それぞれ剥離フィルム層２１２の一端縁２１２ａから他端縁２１２ｂまで一直線上に延びており、これにより、剥離フィルム層２１２が３分割されている。これらの切込み２１５に沿って剥離フィルム層２１２を一端縁２１２ａ又は他端縁２１２ｂから剥離させれば、剥離フィルム層２１２の中央部２１２ｄを除去し、この部分に対応する粘着層２１３を露出させることができる。このように、切込み２１５の数及び位置は、任意に設定することができる。
【００７１】
図１１は、図９の保護フィルム２０１をディスプレイ１の表示領域２に貼り合せる際の態様について説明するための概略断面図である。上記のような態様で、剥離フィルム層２１２の中央部２１２ｄが剥離された後、保護フィルム２０１は、ディスプレイ１の表示領域２に対して位置合わせされる。
【００７２】
このとき、露出した粘着層２１３がディスプレイ１の表示領域２に対向するようにして、粘着層２１３を表示領域２から離した状態で保護フィルム１０１を移動させる。そして、凸部２１４をディスプレイ１の凹部３に挿入して係止させることにより位置決めした上で、図１１（ａ）に示すように、露出している粘着層２１３を表示領域２に貼り合せる。
【００７３】
その後、剥離フィルム層２１２における一端側の部分を切込み２１５側から剥離させ、図１１（ｂ）に示すように、剥離フィルム層２１２を反転させて引き抜きながら、粘着層２１３の露出した部分を表示領域２に貼り合せる。さらに、剥離フィルム層２１２における他端側の残りの部分を切込み２１５側から剥離させ、図１１（ｃ）に示すように、剥離フィルム層２１２を反転させて引き抜きながら、粘着層２１３の残りの部分を表示領域２に貼り合せる。このようにして、粘着層２１３全体を表示領域２に貼り合せることができる。
【００７４】
ただし、剥離フィルム層２１２の中央部２１２ｄを予め剥離した後に保護フィルム２０１を位置決めするような態様ではなく、保護フィルム２０１を位置決めした後、剥離フィルム層２１２の中央部２１２ｄを剥離して、露出した粘着層２１３を表示領域２に貼り合せてもよい。この場合は、保護フィルム２０１の一端部を凸部２１４によりディスプレイ１の凹部３に係止させた状態のまま、保護フィルム２０１の他端部をめくり上げて、剥離フィルム層２１２の中央部２１２ｄを剥離すればよい。
【００７５】
以上のように、図９〜図１１の例では、剥離フィルム層２１２上に形成された凸部２１４を、ディスプレイ１の表面に形成されている凹部３に容易に係止させることができる。この場合、スピーカ、マイク又はヘッドホンなどのためにディスプレイ１の表面に形成されている凹部３を利用すれば、凸部２１４を係止させるための部分をディスプレイ１側に別途設ける必要がないため、より簡単な構成で保護フィルム２０１を容易に貼り合せることができる。
【符号の説明】
【００７６】
１    ディスプレイ
２    表示領域
３    凹部
１０１    保護フィルム
１１１    基材フィルム層
１１２    剥離フィルム層
１１２ａ  一端縁
１１２ｂ  他端縁
１１３    粘着層
１１４    凸部
１１４ａ  縁部
２０１    保護フィルム
２１１    基材フィルム層
２１２    剥離フィルム層
２１２ａ  一端縁
２１２ｂ  他端縁
２１３    粘着層
２１４    凸部
２１４ａ  第１凸部
２１４ｂ  第２凸部
【図１】
2015203089.tif 000003
【図２】
2015203089.tif 000004
【図３】
2015203089.tif 000005
【図４】
2015203089.tif 000006
【図５】
2015203089.tif 000007
【図６】
2015203089.tif 000008
【図７】
2015203089.tif 000009
【図８】
2015203089.tif 000010
【図９】
2015203089.tif 000011
【図１０】
2015203089.tif 000012
【図１１】
2015203089.tif 000013